(57)【特許請求の範囲】
【請求項１】
吹出空気が吹き出される吹出口（１５）が形成されているケーシング（１１）と、
前記吹出口から正面側に前記吹出空気が吹き出される正面吹き姿勢と、前記吹出口から側面側に前記吹出空気が吹き出される横吹き姿勢と、を採ることが可能であり、前記吹出空気の左右方向の流れを変更する垂直羽根（２０）と、
前記吹出空気の上下方向の流れを変更する水平羽根（３１）と、
コアンダ効果を得るためのコアンダ面（３２ａ）を含み、前記水平羽根と共同して、前記吹出空気を前記コアンダ面に沿ったコアンダ気流にするコアンダ羽根（３２）と、
前記コアンダ気流を利用しており、かつ、前記垂直羽根に前記正面吹き姿勢を採らせた第１風向きを形成するための前記コアンダ羽根及び前記水平羽根の第１羽根角度組合せと、前記コアンダ気流を利用しており、かつ、前記垂直羽根に前記横吹き姿勢を採らせた第２風向きを形成するための前記コアンダ羽根及び前記水平羽根の第２羽根角度組合せと、を含む、前記コアンダ羽根及び前記水平羽根の複数の羽根角度組合せを使用して、前記吹出空気の風向きを調整する制御部（４０）と、
を備え、
前記コアンダ羽根及び前記水平羽根の羽根角度組合せとして、前記垂直羽根が前記正面吹き姿勢を採る場合に前記コアンダ面全域で前記コアンダ気流が発生する第１羽根角度組合せ領域と、前記垂直羽根が前記横吹き姿勢を採る場合に前記コアンダ面全域で前記コアンダ気流が発生する第２羽根角度組合せ領域と、は異なっており、
前記第１羽根角度組合せ及び前記第２羽根角度組合せは、前記第１羽根角度組合せ領域と前記第２羽根角度組合せ領域とが重なる領域で、設定されている、
空調室内機（１０）。
【請求項２】
吹出空気が吹き出される吹出口（１５）が形成されているケーシング（１１）と、
前記吹出口から正面側に前記吹出空気が吹き出される正面吹き姿勢と、前記吹出口から側面側に前記吹出空気が吹き出される横吹き姿勢と、を採ることが可能であり、前記吹出空気の左右方向の流れを変更する垂直羽根（２０）と、
前記吹出空気の上下方向の流れを変更する水平羽根（３１）と、
コアンダ効果を得るためのコアンダ面（３２ａ）を含み、前記水平羽根と共同して、前記吹出空気を前記コアンダ面に沿ったコアンダ気流にするコアンダ羽根（３２）と、
前記コアンダ気流を利用しており、かつ、前記垂直羽根に前記正面吹き姿勢を採らせた第１風向きを形成するための前記コアンダ羽根及び前記水平羽根の第１羽根角度組合せと、前記コアンダ気流を利用しており、かつ、前記垂直羽根に前記横吹き姿勢を採らせた第２風向きを形成するための前記コアンダ羽根及び前記水平羽根の第２羽根角度組合せと、を含む、前記コアンダ羽根及び前記水平羽根の複数の羽根角度組合せを使用して、前記吹出空気の風向きを調整する制御部（４０）と、
を備え、
前記第２羽根角度組合せの前記コアンダ羽根及び前記水平羽根の相対角度は、前記第１羽根角度組合せの前記コアンダ羽根及び前記水平羽根の相対角度よりも小さい、
空調室内機（１０）。
【請求項３】
吹出空気が吹き出される吹出口（１５）が形成されているケーシング（１１）と、
前記吹出口から正面側に前記吹出空気が吹き出される正面吹き姿勢と、前記吹出口から側面側に前記吹出空気が吹き出される横吹き姿勢と、を採ることが可能であり、前記吹出空気の左右方向の流れを変更する垂直羽根（２０）と、
前記吹出空気の上下方向の流れを変更する水平羽根（３１）と、
コアンダ効果を得るためのコアンダ面（３２ａ）を含み、前記水平羽根と共同して、前記吹出空気を前記コアンダ面に沿ったコアンダ気流にするコアンダ羽根（３２）と、
前記コアンダ気流を利用しており、かつ、前記垂直羽根に前記正面吹き姿勢を採らせた第１風向きを形成するための前記コアンダ羽根及び前記水平羽根の第１羽根角度組合せと、前記コアンダ気流を利用しており、かつ、前記垂直羽根に前記横吹き姿勢を採らせた第２風向きを形成するための前記コアンダ羽根及び前記水平羽根の第２羽根角度組合せと、を含む、前記コアンダ羽根及び前記水平羽根の複数の羽根角度組合せを使用して、前記吹出空気の風向きを調整する制御部（４０）と、
を備え、
前記吹出空気の風向きは、
前記コアンダ気流を利用する風向きであり、前記垂直羽根がスイングするコアンダ気流利用スイング風向きと、
前記コアンダ気流を利用しない風向きであり、前記垂直羽根がスイングする通常スイング風向きと、を含み、
前記コアンダ気流利用スイング風向きを形成するときの前記垂直羽根のスイング可能角度範囲と、前記通常スイング風向きを形成するときの前記垂直羽根のスイング可能角度範囲と、は異なっている、
空調室内機（１０）。
【請求項４】
吹出空気が吹き出される吹出口（１５）が形成されているケーシング（１１）と、
前記吹出口から正面側に前記吹出空気が吹き出される正面吹き姿勢と、前記吹出口から側面側に前記吹出空気が吹き出される横吹き姿勢と、を採ることが可能であり、前記吹出空気の左右方向の流れを変更する垂直羽根（２０）と、
前記吹出空気の上下方向の流れを変更する水平羽根（３１）と、
コアンダ効果を得るためのコアンダ面（３２ａ）を含み、前記水平羽根と共同して、前記吹出空気を前記コアンダ面に沿ったコアンダ気流にするコアンダ羽根（３２）と、
前記ケーシング内に配置されており、前記ケーシング内に取り込んだ空気を前記吹出口に向かわせる気流を形成するファン（１４）と、
前記コアンダ気流を利用しており、かつ、前記垂直羽根に前記正面吹き姿勢を採らせた第１風向きを形成するための前記コアンダ羽根及び前記水平羽根の第１羽根角度組合せと、前記コアンダ気流を利用しており、かつ、前記垂直羽根に前記横吹き姿勢を採らせた第２風向きを形成するための前記コアンダ羽根及び前記水平羽根の第２羽根角度組合せと、を含む、前記コアンダ羽根及び前記水平羽根の複数の羽根角度組合せを使用して、前記吹出空気の風向きを調整する制御部（４０）と、
を備え、
前記制御部は、前記垂直羽根が前記正面吹き姿勢を採る場合と、前記垂直羽根が前記横吹き姿勢を採る場合とで、前記ファンの最小風量を変更する、
空調室内機（１０）。
【請求項５】
前記ケーシング内に配置されており、前記ケーシング内に取り込んだ空気を前記吹出口に向かわせる気流を形成するファン（１４）を備え、
前記制御部は、前記垂直羽根が前記正面吹き姿勢を採る場合と、前記垂直羽根が前記横吹き姿勢を採る場合とで、前記ファンの最小風量を変更する、
請求項１から３のいずれか１項に記載の空調室内機。
【発明の詳細な説明】
【技術分野】
【０００１】
本発明は、コアンダ効果を利用して、吹出空気の流れを所定の方向へ誘導する空調室内機に関する。
【背景技術】
【０００２】
従来より、コアンダ効果を利用して、吹出空気の流れを所定の方向へ誘導することで、所定の風向きを形成する空調室内機がある。例えば、特許文献１（特開２００４−１０１１２８号公報）に開示されている空気調和機では、吹出口の近傍で、かつ、吹出空気の通り道に、横ルーバが配置されている。この空気調和機では、吹出空気が、コアンダ効果によって、横ルーバに沿った上向きのコアンダ気流となり、部屋の天井に向かう風向きが形成されている。
【発明の概要】
【発明が解決しようとする課題】
【０００３】
ところで、所定の風向きを形成するときにコアンダ気流が利用される場合、吹出空気の上下方向の流れを変更する水平羽根の姿勢については考慮されているが、吹出空気の左右方向の流れを変更する垂直羽根の姿勢については、なんら考慮されていない。
【０００４】
例えば、特許文献１に開示されている空調室内機では、コアンダ気流を利用して部屋の天井に向かう風向きを形成する際には、垂直羽根に相当する縦ルーバが、吹出空気が吹出口から正面側に吹き出される状態に固定されていると考えられる。この場合、コアンダ気流を利用した風向きとして、主に、正面天井方向に向かう風向きが形成されることになる。
【０００５】
一方で、近年の空調室内機では、吹出空気の風向きのバリエーションを増やすことが望まれている。
【０００６】
そこで、本発明の課題は、吹出空気の風向きのバリエーションを増やすことができる空調室内機を提供することにある。
【課題を解決するための手段】
【０００７】
本発明の第１観点に係る空調室内機は、ケーシングと、垂直羽根と、水平羽根と、コアンダ羽根と、制御部と、を備える。ケーシングには、吹出空気が吹き出される吹出口が形成されている。垂直羽根は、吹出空気の左右方向の流れを変更する。また、垂直羽根は、正面吹き姿勢と、横吹き姿勢と、を採ることが可能である。正面吹き姿勢では、吹出口から正面側に吹出空気が吹き出される。横吹き姿勢では、吹出口から側面側に吹出空気が吹き出される。水平羽根は、吹出空気の上下方向の流れを変更する。コアンダ羽根は、コアンダ効果を得るためのコアンダ面を含む。また、コアンダ羽根は、水平羽根と共同して、吹出空気をコアンダ面に沿ったコアンダ気流にする。制御部は、第１羽根角度組合せと第２羽根角度組合せをと含むコアンダ羽根及び水平羽根の複数の羽根角度組合せを使用して、吹出空気の風向きを調整する。第１羽根角度組合せとは、コアンダ気流を利用しており、かつ、垂直羽根に正面吹き姿勢を採らせた第１風向きを形成するためのコアンダ羽根及び水平羽根の羽根角度組合せである。第２羽根角度組合せとは、コアンダ気流を利用しており、かつ、垂直羽根に横吹き姿勢を採らせた第２風向きを形成するためのコアンダ羽根及び水平羽根の羽根角度組合せである。そして、コアンダ羽根及び水平羽根の羽根角度組合せとして、第１羽根角度組合せ領域と、第２羽根角度組合せ領域とは、異なっている。第１羽根角度組合せ領域とは、垂直羽根が正面吹き姿勢を採る場合に、コアンダ面全域でコアンダ気流が発生するコアンダ羽根及び水平羽根の羽根角度組合せ領域のことである。第２羽根角度組合せ領域とは、垂直羽根が横吹き姿勢を採る場合にコアンダ面全域でコアンダ気流が発生するコアンダ羽根及び水平羽根の羽根角度組合せ領域のことである。また、第１羽根角度組合せ及び第２羽根角度組合せは、第１羽根角度組合せ領域と第２羽根角度組合せ領域とが重なる領域で、設定されている。
【０００８】
本発明の第１観点に係る空調室内機では、コアンダ羽根及び水平羽根の羽根角度組合せとして、第１羽根角度組合せを使用し、垂直羽根に正面吹き姿勢を採らせることで第１風向きが形成され、コアンダ羽根及び水平羽根の羽根角度組合せとして、第２羽根角度組合せを使用し、垂直羽根に横吹き姿勢を採らせることで第２風向きが形成される。第１風向きでは、吹出口から正面側に吹き出された吹出空気の風向きが、コアンダ効果により変更される。一方で、第２風向きでは、吹出口から側面側に吹き出された吹出空気の風向きが、コアンダ効果により変更される。この空調室内機では、コアンダ気流を利用した風向きとして、正面側に向かう第１風向きだけでなく、側面側に向かう第２風向きを形成することができる。
【０００９】
これによって、コアンダ気流を利用した風向きとして正面側に向かう風向きのみが形成される場合と比較して、吹出空気の風向きのバリエーションを増やすことができる。
【００１０】
なお、ここでいう「側面側」とは、吹出口の正面側の空間に対する側面側のことである。
【００１１】
また、本発明者は、コアンダ羽根及び水平羽根の羽根角度組合せを変更することで、コアンダ面に沿ったコアンダ気流が発生しない羽根角度組合せとコアンダ面全域で安定したコアンダ気流が発生する羽根角度組合せの他に、コアンダ面の一部でコアンダ気流が発生しているがコアンダ面の他部ではコアンダ気流が発生しない不安定な気流になる羽根角度組合せが存在することを発見した。
【００１２】
さらに、本発明者は、コアンダ面全域でコアンダ気流が発生するコアンダ羽根及び水平羽根の羽根角度組合せ領域が垂直羽根の姿勢で異なっており、各領域の一部が重なっていることを発見した。
【００１３】
そこで、この空調室内機では、第１羽根角度組合せ及び第２羽根角度組合せを、垂直羽根が正面吹き姿勢を採る場合にコアンダ面全域でコアンダ気流が発生する第１羽根角度組合せ領域と、垂直羽根が横吹き姿勢を採る場合にコアンダ面全域でコアンダ気流が発生する第２羽根角度組合せ領域とが重なる領域で、設定している。この結果、垂直羽根の姿勢に関係なく、コアンダ面全域で安定したコアンダ気流を発生させることができる。したがって、例えば、第１羽根角度組合せと第２羽根角度組合せとを同一の角度組合せに設定したとしても、第１羽根角度組合せ領域と第２羽根角度組合せ領域とが重なる領域であるため、第１風向き及び第２風向きが形成されるときに、コアンダ気流が不安定な気流になるおそれを低減することができる。これにより、所望の風向きが形成されないおそれを低減することができる。
【００１４】
本発明の第２観点に係る空調室内機は、ケーシングと、垂直羽根と、水平羽根と、コアンダ羽根と、制御部と、を備える。ケーシングには、吹出空気が吹き出される吹出口が形成されている。垂直羽根は、吹出空気の左右方向の流れを変更する。また、垂直羽根は、正面吹き姿勢と、横吹き姿勢と、を採ることが可能である。正面吹き姿勢では、吹出口から正面側に吹出空気が吹き出される。横吹き姿勢では、吹出口から側面側に吹出空気が吹き出される。水平羽根は、吹出空気の上下方向の流れを変更する。コアンダ羽根は、コアンダ効果を得るためのコアンダ面を含む。また、コアンダ羽根は、水平羽根と共同して、吹出空気をコアンダ面に沿ったコアンダ気流にする。制御部は、第１羽根角度組合せと第２羽根角度組合せをと含むコアンダ羽根及び水平羽根の複数の羽根角度組合せを使用して、吹出空気の風向きを調整する。第１羽根角度組合せとは、コアンダ気流を利用しており、かつ、垂直羽根に正面吹き姿勢を採らせた第１風向きを形成するためのコアンダ羽根及び水平羽根の羽根角度組合せである。第２羽根角度組合せとは、コアンダ気流を利用しており、かつ、垂直羽根に横吹き姿勢を採らせた第２風向きを形成するためのコアンダ羽根及び水平羽根の羽根角度組合せである。そして、第２羽根角度組合せのコアンダ羽根及び水平羽根の相対角度は、第１羽根角度組合せのコアンダ羽根及び水平羽根の相対角度よりも小さい。
【００１５】
本発明の第２観点に係る空調室内機では、コアンダ羽根及び水平羽根の羽根角度組合せとして、第１羽根角度組合せを使用し、垂直羽根に正面吹き姿勢を採らせることで第１風向きが形成され、コアンダ羽根及び水平羽根の羽根角度組合せとして、第２羽根角度組合せを使用し、垂直羽根に横吹き姿勢を採らせることで第２風向きが形成される。第１風向きでは、吹出口から正面側に吹き出された吹出空気の風向きが、コアンダ効果により変更される。一方で、第２風向きでは、吹出口から側面側に吹き出された吹出空気の風向きが、コアンダ効果により変更される。この空調室内機では、コアンダ気流を利用した風向きとして、正面側に向かう第１風向きだけでなく、側面側に向かう第２風向きを形成することができる。
【００１６】
これによって、コアンダ気流を利用した風向きとして正面側に向かう風向きのみが形成される場合と比較して、吹出空気の風向きのバリエーションを増やすことができる。
【００１７】
なお、ここでいう「側面側」とは、吹出口の正面側の空間に対する側面側のことである。
【００１８】
また、本発明者は、垂直羽根が横吹き姿勢を採るときは、垂直羽根が正面吹き姿勢を採るときよりも、コアンダ羽根及び水平羽根の相対角度を小さくしなければ、コアンダ面全域で安定したコアンダ気流を発生させることができないことを発見した。
【００１９】
そこで、この空調室内機では、第２羽根角度組合せのコアンダ羽根及び水平羽根の相対角度を、第１羽根角度組合せのコアンダ羽根及び水平羽根の相対角度よりも小さい角度に設定している。この空調室内機では、垂直羽根の姿勢に応じてコアンダ羽根及び水平羽根の羽根角度組合せを変更することで、コアンダ面全域で安定したコアンダ気流を生じさせている。このため、垂直羽根の姿勢として、正面吹き姿勢及び横吹き姿勢のいずれの姿勢が選択されても、コアンダ面全域で安定したコアンダ気流を発生させることができる。したがって、例えば、第１風向きが形成されている途中で、第２風向きに切り換えられても、コアンダ面全域で安定したコアンダ気流を発生させることができ、この結果、所望の風向きが形成されないおそれを低減することができる。
【００２０】
本発明の第３観点に係る空調室内機は、ケーシングと、垂直羽根と、水平羽根と、コアンダ羽根と、制御部と、を備える。ケーシングには、吹出空気が吹き出される吹出口が形成されている。垂直羽根は、吹出空気の左右方向の流れを変更する。また、垂直羽根は、正面吹き姿勢と、横吹き姿勢と、を採ることが可能である。正面吹き姿勢では、吹出口から正面側に吹出空気が吹き出される。横吹き姿勢では、吹出口から側面側に吹出空気が吹き出される。水平羽根は、吹出空気の上下方向の流れを変更する。コアンダ羽根は、コアンダ効果を得るためのコアンダ面を含む。また、コアンダ羽根は、水平羽根と共同して、吹出空気をコアンダ面に沿ったコアンダ気流にする。制御部は、第１羽根角度組合せと第２羽根角度組合せをと含むコアンダ羽根及び水平羽根の複数の羽根角度組合せを使用して、吹出空気の風向きを調整する。第１羽根角度組合せとは、コアンダ気流を利用しており、かつ、垂直羽根に正面吹き姿勢を採らせた第１風向きを形成するためのコアンダ羽根及び水平羽根の羽根角度組合せである。第２羽根角度組合せとは、コアンダ気流を利用しており、かつ、垂直羽根に横吹き姿勢を採らせた第２風向きを形成するためのコアンダ羽根及び水平羽根の羽根角度組合せである。そして、吹出空気の風向きは、コアンダ気流利用スイング風向きと、通常スイング風向きと、を含む。コアンダ気流利用風向きとは、コアンダ気流を利用する風向きであり、垂直羽根がスイングする風向きである。通常スイング風向きとは、コアンダ気流を利用しない風向きであり、垂直羽根がスイングする風向きである。また、コアンダ気流利用スイング風向きを形成するときの垂直羽根のスイング可能角度範囲と、通常スイング風向きを形成するときの垂直羽根のスイング可能角度範囲とは、異なっている。
【００２１】
本発明の第３観点に係る空調室内機では、コアンダ羽根及び水平羽根の羽根角度組合せとして、第１羽根角度組合せを使用し、垂直羽根に正面吹き姿勢を採らせることで第１風向きが形成され、コアンダ羽根及び水平羽根の羽根角度組合せとして、第２羽根角度組合せを使用し、垂直羽根に横吹き姿勢を採らせることで第２風向きが形成される。第１風向きでは、吹出口から正面側に吹き出された吹出空気の風向きが、コアンダ効果により変更される。一方で、第２風向きでは、吹出口から側面側に吹き出された吹出空気の風向きが、コアンダ効果により変更される。この空調室内機では、コアンダ気流を利用した風向きとして、正面側に向かう第１風向きだけでなく、側面側に向かう第２風向きを形成することができる。
【００２２】
これによって、コアンダ気流を利用した風向きとして正面側に向かう風向きのみが形成される場合と比較して、吹出空気の風向きのバリエーションを増やすことができる。
【００２３】
なお、ここでいう「側面側」とは、吹出口の正面側の空間に対する側面側のことである。
【００２４】
また、この空調室内機では、垂直羽根をスイングさせることで、吹出空気の風向きのバリエーションを増やすことができる。
【００２５】
ここで、吹出空気をコアンダ面全域に沿った安定したコアンダ気流にしようとした場合、垂直羽根の姿勢を考慮しつつ、コアンダ羽根及び水平羽根の羽根角度組合せを選択する必要がある。そして、コアンダ面全域に沿った安定したコアンダ気流を発生させるためには、垂直羽根が横吹き姿勢を採る場合のほうが、垂直羽根が正面吹き姿勢を採る場合よりも、コアンダ羽根及び水平羽根の羽根角度組合せ領域が小さくなる。
【００２６】
そうすると、垂直羽根をスイングさせたとしても、正面吹き姿勢を採る垂直羽根の姿勢に近ければ、コアンダ面全域に沿った安定したコアンダ気流を発生させることのできるコアンダ羽根及び水平羽根の羽根角度組合せ領域の縮小を抑えることができると考えられる。すなわち、垂直羽根のスイング可能角度範囲を制限することで、コアンダ面全域に沿った安定したコアンダ気流を発生させることのできるコアンダ羽根及び水平羽根の羽根角度組合せ領域の縮小を抑えることができると考えられる。
【００２７】
一方で、コアンダ気流を利用しない風向きを通常風向きとすると、通常風向きを形成する場合には、コアンダ羽根及び水平羽根の羽根角度組合せを考慮する必要がないため、垂直羽根のスイング可能角度範囲を特に制限する必要はない。
【００２８】
そこで、この空調室内機では、コアンダ気流利用スイング風向きを形成するときの垂直羽根のスイング可能角度範囲を、通常スイング風向きを形成するときの垂直羽根のスイング可能角度範囲よりも小さくすることで、安定したコアンダ気流とすることができる。
【００２９】
本発明の第４観点に係る空調室内機は、ケーシングと、垂直羽根と、水平羽根と、コアンダ羽根と、ファンと、制御部と、を備える。ケーシングには、吹出空気が吹き出される吹出口が形成されている。垂直羽根は、吹出空気の左右方向の流れを変更する。また、垂直羽根は、正面吹き姿勢と、横吹き姿勢と、を採ることが可能である。正面吹き姿勢では、吹出口から正面側に吹出空気が吹き出される。横吹き姿勢では、吹出口から側面側に吹出空気が吹き出される。水平羽根は、吹出空気の上下方向の流れを変更する。コアンダ羽根は、コアンダ効果を得るためのコアンダ面を含む。また、コアンダ羽根は、水平羽根と共同して、吹出空気をコアンダ面に沿ったコアンダ気流にする。ファンは、ケーシング内に配置されており、ケーシング内に取り込んだ空気を吹出口に向かわせる気流を形成する。制御部は、第１羽根角度組合せと第２羽根角度組合せをと含むコアンダ羽根及び水平羽根の複数の羽根角度組合せを使用して、吹出空気の風向きを調整する。第１羽根角度組合せとは、コアンダ気流を利用しており、かつ、垂直羽根に正面吹き姿勢を採らせた第１風向きを形成するためのコアンダ羽根及び水平羽根の羽根角度組合せである。第２羽根角度組合せとは、コアンダ気流を利用しており、かつ、垂直羽根に横吹き姿勢を採らせた第２風向きを形成するためのコアンダ羽根及び水平羽根の羽根角度組合せである。また、制御部は、垂直羽根が正面吹き姿勢を採る場合と、垂直羽根が横吹き姿勢を採る場合とで、ファンの最小風量を変更する。
【００３０】
本発明の第４観点に係る空調室内機では、コアンダ羽根及び水平羽根の羽根角度組合せとして、第１羽根角度組合せを使用し、垂直羽根に正面吹き姿勢を採らせることで第１風向きが形成され、コアンダ羽根及び水平羽根の羽根角度組合せとして、第２羽根角度組合せを使用し、垂直羽根に横吹き姿勢を採らせることで第２風向きが形成される。第１風向きでは、吹出口から正面側に吹き出された吹出空気の風向きが、コアンダ効果により変更される。一方で、第２風向きでは、吹出口から側面側に吹き出された吹出空気の風向きが、コアンダ効果により変更される。この空調室内機では、コアンダ気流を利用した風向きとして、正面側に向かう第１風向きだけでなく、側面側に向かう第２風向きを形成することができる。
【００３１】
これによって、コアンダ気流を利用した風向きとして正面側に向かう風向きのみが形成される場合と比較して、吹出空気の風向きのバリエーションを増やすことができる。
【００３２】
なお、ここでいう「側面側」とは、吹出口の正面側の空間に対する側面側のことである。
【００３３】
また、ここで、例えば、垂直羽根が横吹き姿勢を採ることで吹出口から両側面側に向かって吹出空気が吹き出されるとした場合、コアンダ羽根及び水平羽根の羽根角度組合せを変更せずに、垂直羽根の姿勢を正面吹き姿勢から横吹き姿勢に変更すると、コアンダ面全域で安定したコアンダ気流が発生している状態からコアンダ面の両端部ではコアンダ気流が発生するけれどもコアンダ面の中央部ではコアンダ気流が発生しない不安定な気流になることがある。また、垂直羽根の姿勢が、正面吹き姿勢から横吹き姿勢に変更されることで、吹出口の中央部分から吹き出される吹出空気の風速が吹出口の両端部から吹き出される吹出空気の風速と比較して遅くなっている。このことから、垂直羽根の姿勢を変更することでコアンダ気流が不安定な気流になる原因として、吹出口から吹き出される風速に関係していると考えられる。
【００３４】
そこで、垂直羽根が正面吹き姿勢を採る場合よりも垂直羽根が横吹き姿勢を採る場合にファンの最小風量をあげることで、垂直羽根の姿勢として、正面吹き姿勢及び横吹き姿勢のいずれの姿勢が選択されても、コアンダ面全域で安定したコアンダ気流を発生させることができる。したがって、例えば、第１風向きが形成されている途中で、第２風向きに切り換えられても、コアンダ面全域で安定したコアンダ気流を発生させることができ、この結果、所望の風向きが形成されないおそれを低減することができる。
【００３５】
本発明の第５観点に係る空調室内機は、第１観点から第３観点の空調室内機において、ケーシング内に配置されており、ケーシング内に取り込んだ空気を吹出口に向かわせる気流を形成するファンを備えている。また、制御部は、垂直羽根が正面吹き姿勢を採る場合と、垂直羽根が横吹き姿勢を採る場合とで、ファンの最小風量を変更する。
【００３６】
ここで、例えば、垂直羽根が横吹き姿勢を採ることで吹出口から両側面側に向かって吹出空気が吹き出されるとした場合、コアンダ羽根及び水平羽根の羽根角度組合せを変更せずに、垂直羽根の姿勢を正面吹き姿勢から横吹き姿勢に変更すると、コアンダ面全域で安定したコアンダ気流が発生している状態からコアンダ面の両端部ではコアンダ気流が発生するけれどもコアンダ面の中央部ではコアンダ気流が発生しない不安定な気流になることがある。また、垂直羽根の姿勢が、正面吹き姿勢から横吹き姿勢に変更されることで、吹出口の中央部分から吹き出される吹出空気の風速が吹出口の両端部から吹き出される吹出空気の風速と比較して遅くなっている。このことから、垂直羽根の姿勢を変更することでコアンダ気流が不安定な気流になる原因として、吹出口から吹き出される風速に関係していると考えられる。
【００３７】
そこで、垂直羽根が正面吹き姿勢を採る場合よりも垂直羽根が横吹き姿勢を採る場合にファンの最小風量をあげることで、垂直羽根の姿勢として、正面吹き姿勢及び横吹き姿勢のいずれの姿勢が選択されても、コアンダ面全域で安定したコアンダ気流を発生させることができる。したがって、例えば、第１風向きが形成されている途中で、第２風向きに切り換えられても、コアンダ面全域で安定したコアンダ気流を発生させることができ、この結果、所望の風向きが形成されないおそれを低減することができる。
【発明の効果】
【００３８】
本発明の第１観点に係る空調室内機では、コアンダ気流を利用した風向きとして、正面側に向かう第１風向きだけでなく側面側に向かう第２風向きを形成することができるため、吹出空気の風向きのバリエーションを増やすことができる。
【００３９】
本発明の第２観点に係る空調室内機では、コアンダ気流を利用した風向きとして、正面側に向かう第１風向きだけでなく側面側に向かう第２風向きを形成することができるため、吹出空気の風向きのバリエーションを増やすことができる。
【００４０】
本発明の第３観点に係る空調室内機では、コアンダ気流を利用した風向きとして、正面側に向かう第１風向きだけでなく側面側に向かう第２風向きを形成することができるため、吹出空気の風向きのバリエーションを増やすことができる。
【００４１】
本発明の第４観点に係る空調室内機では、コアンダ気流を利用した風向きとして、正面側に向かう第１風向きだけでなく側面側に向かう第２風向きを形成することができるため、吹出空気の風向きのバリエーションを増やすことができる。
【００４２】
本発明の第５観点に係る空調室内機では、垂直羽根が正面吹き姿勢を採る場合と垂直羽根が横吹き姿勢を採る場合とで、ファンの最小風量を変更することで、所望の風向きが形成されないおそれを低減することができる。
【図面の簡単な説明】
【００４３】
【図１】本発明の実施形態に係る運転停止時の空調室内機の断面図。
【図２】運転時の空調室内機の断面図。
【図３】運転時の空調室内機の断面図。
【図４Ａ】吹出空気が通常前方吹き時の吹出口近傍の部分断面図。
【図４Ｂ】吹出空気が通常前方下吹き時の吹出口近傍の部分断面図。
【図４Ｃ】吹出空気がコアンダ気流天井吹き時の吹出口近傍の部分断面図。
【図４Ｄ】吹出空気がコアンダ気流前方吹き時の吹出口近傍の部分断面図。
【図４Ｅ】吹出空気が下吹き時の吹出口近傍の部分断面図。
【図５】コアンダ羽根及び水平羽根の羽根角度と吹出空気との関係を説明するための図。
【図６】コアンダ羽根の羽根角度及び水平羽根の羽根角度を説明するための図。
【図７】コアンダ羽根及び水平羽根の羽根角度組合せが第１領域の所定の羽根角度組合せにあるときの一例を示す図であって、（ａ）空調室内機の正面図、（ｂ）空調室内機の側面図、（ｃ）コアンダ羽根の外側面における吹出空気の流れを示す概略図。
【図８】コアンダ羽根及び水平羽根の羽根角度組合せが第２領域の所定の羽根角度組合せにあるときの一例を示す図であって、（ａ）空調室内機の正面図、（ｂ）空調室内機の側面図、（ｃ）コアンダ羽根の外側面における吹出空気の流れを示す概略図。
【図９】コアンダ羽根及び水平羽根の羽根角度組合せが第３領域の所定の羽根角度組合せにあるときの一例を示す図であって、（ａ）空調室内機の正面図、（ｂ）空調室内機の側面図、（ｃ）コアンダ羽根の外側面における吹出空気の流れを示す概略図。
【図１０】コアンダ羽根及び水平羽根の羽根角度組合せが第７領域の所定の羽根角度組合せにあるときの一例を示す図であって、（ａ）空調室内機の正面図、（ｂ）空調室内機の側面図、（ｃ）コアンダ羽根の外側面における吹出空気の流れを示す概略図。
【図１１】コアンダ羽根及び水平羽根の羽根角度組合せが第７領域以外の所定の羽根角度組合せにあるときの一例を示す図であって、（ａ）空調室内機の正面図、（ｂ）空調室内機の側面図、（ｃ）コアンダ羽根の外側面における吹出空気の流れを示す概略図。
【発明を実施するための形態】
【００４４】
以下、図面を参照しながら、本発明の実施形態について説明する。なお、以下の実施形態は、本発明の具体例であって、本発明の技術的範囲を限定するものではない。
【００４５】
（１）空調室内機の構成
図１は、本発明の第１実施形態に係る運転停止時の空調室内機１０の断面図である。図２は、コアンダ気流利用モード実行時の空調室内機１０の断面図である。図３は、斜め方向から視たコアンダ気流利用モード実行時の空調室内機１０の断面図である。
【００４６】
空調室内機１０は、室内の壁面に取り付けられる壁掛け型の空調室内機であり、本体ケーシング１１、室内熱交換器１３、室内ファン１４、底フレーム１６、及び制御部４０を備えている。
【００４７】
本体ケーシング１１は、天面部１１ａ、前面パネル１１ｂ、背面板１１ｃ及び下部水平板１１ｄを有し、内部に室内熱交換器１３、室内ファン１４、底フレーム１６、及び制御部４０を収納している。
【００４８】
天面部１１ａは、本体ケーシング１１の上部に位置し、天面部１１ａの前部には、吸込口１９が設けられている。
【００４９】
前面パネル１１ｂは空調室内機１０の前面部を構成しており、吸込口１９がないフラットな形状を成している。また、前面パネル１１ｂは、その上端が天面部１１ａに回動自在に支持され、ヒンジ式に動作することができる。
【００５０】
室内熱交換器１３及び室内ファン１４は、底フレーム１６に取り付けられている。室内熱交換器１３は、通過する空気との間で熱交換を行う。また、室内熱交換器１３は、側面視において両端が下方に向いて屈曲する逆Ｖ字状の形状を成し、その下方に室内ファン１４が位置する。室内ファン１４は、クロスフローファンであり、室内から取り込んだ空気を、室内熱交換器１３に当てて通過させた後、室内に吹き出す。
【００５１】
本体ケーシング１１の下部には、吹出口１５が設けられている。吹出口１５近傍には、吹出空気の左右方向の流れを変更する垂直羽根２０が配置されている。また、吹出口１５には、吹出口１５から吹き出される吹出空気の上下方向の流れを変更する水平羽根３１が回動自在に取り付けられている。水平羽根３１は、モータ（図示せず）によって駆動し、吹出空気の上下方向の流れを変更するだけでなく、吹出口１５を開閉することもできる。また、水平羽根３１は、傾斜角度が異なる複数の姿勢を採ることが可能である。
【００５２】
また、吹出口１５の近傍であって、水平羽根３１の上方には、コアンダ羽根３２が設けられている。コアンダ羽根３２は、モータ（図示せず）によって駆動して、傾斜角度が異なる複数の姿勢を採ることが可能である。なお、コアンダ羽根３２は、運転停止時に前面パネル１１ｂに設けられた収容部６０に収容される。
【００５３】
さらに、吹出口１５は、吹出流路１８によって本体ケーシング１１の内部と繋がっている。吹出流路１８は、吹出口１５から底フレーム１６のスクロール面１７に沿って形成されている。
【００５４】
室内空気は、室内ファン１４の稼動によって吸込口１９、室内熱交換器１３を経て室内ファン１４に吸い込まれ、室内ファン１４から吹出流路１８を経て吹出口１５から吹き出される。
【００５５】
制御部４０は、本体ケーシング１１を前面パネル１１ｂから視て室内熱交換器１３及び室内ファン１４の右側方に位置しており、室内ファン１４の回転数制御や垂直羽根２０、水平羽根３１及びコアンダ羽根３２の動作制御を行う。また、制御部４０は、水平羽根３１及びコアンダ羽根３２を独立して駆動させる。
【００５６】
（２）詳細構成
（２−１）前面パネル
前面パネル１１ｂは、図１に示すように、本体ケーシング１１の上部前方からなだらかな円弧曲面を描きながら下部水平板１１ｄの前方エッジに向かって延びている。前面パネル１１ｂの下部に本体ケーシング１１の内側に向かって窪んだ領域がある。この領域の窪み深さはコアンダ羽根３２の厚み寸法に合うように設定されており、コアンダ羽根３２が収容される収容部６０を成している。収容部６０の表面もなだらかな円弧曲面である。
【００５７】
（２−２）吹出口
吹出口１５は、図１に示すように、本体ケーシング１１の下部に形成されており、本体ケーシング１１の長手方向を長辺とする長方形の開口である。吹出口１５の下端部（後端部）は下部水平板１１ｄの前方エッジに接しており、吹出口１５の下端部（後端部）と上端部（前端部）とを結ぶ仮想面は前方上向きに傾斜している。
【００５８】
（２−３）スクロール面
スクロール面１７は、室内ファン１４に対峙するように湾曲した隔壁であり、底フレーム１６の一部である。また、スクロール面１７は、吹出流路１８の下部を形成しており、スクロール面１７の終端Ｆは、吹出口１５の周縁近傍まで到達している。吹出流路１８を通る空気は、スクロール面１７に沿って進み、スクロール面１７の終端Ｆの接線方向に送られる。したがって、吹出口１５に水平羽根３１がなければ、吹出口１５から吹き出される吹出空気が向かう方向は、スクロール面１７の終端Ｆの接線Ｌ０に概ね沿った方向になる（図２参照）。
【００５９】
（２−４）垂直羽根
垂直羽根２０は、複数の羽根片２１と、複数の羽根片２１を連結する連結棒２３を有している（図１及び図２参照）。また、垂直羽根２０は、吹出流路１８において、水平羽根３１よりも室内ファン１４近傍に配置されている。
【００６０】
複数枚の羽根片２１は、連結棒２３が吹出口１５の長手方向に沿って水平往復移動することによって、その長手方向に対して垂直な状態を中心に左右に揺動する。これにより、吹出空気の左右方向の流れが変更される。なお、連結棒２３は、モータ（図示せず）によって水平往復移動する。
【００６１】
なお、以下より、説明の便宜上、複数の羽根片２１の面が、吹出口１５の長手方向に対して垂直に位置する垂直羽根２０の姿勢を正面吹き姿勢といい、吹出口１５の長手方向に対して左右に傾斜した垂直水平羽根３１の姿勢を横吹き姿勢という。垂直羽根２０が正面吹き姿勢を採る場合には、吹出口１５から正面側に向かって（吹出空気が左右に拡がらないように空調室内機１０の前方に向かって）吹出空気が吹き出される。一方で、垂直羽根２０が横吹き姿勢を採る場合には、吹出口１５から吹出口１５の正面側の空間に対する両側面側に向かって（吹出空気が左右に拡がるように空調室内機１０の左右側方に向かって）吹出空気が吹き出される。
【００６２】
（２−５）水平羽根
水平羽根３１は、空調室内機１０の長手方向に長い板状の部材であって、吹出口１５を塞ぐことができる程度の面積を有している。水平羽根３１が吹出口１５を閉じた状態において、その外側面３１ａは前面パネル１１ｂの曲面の延長上にあるような外側に凸のなだらかな円弧曲面に仕上げられている。また、水平羽根３１の内側面３１ｂも、外側面３１ａにほぼ平行な円弧曲面を成している。なお、本実施形態では、水平羽根３１の内側面３１ｂが円弧曲面を成しているが、水平羽根３１の内側面が平面であってもよい。
【００６３】
水平羽根３１は、下端部（後端部）に回動軸３７を有している。回動軸３７は、吹出口１５の下端部（後端部）近傍で、本体ケーシング１１に固定されているステッピングモータ（図示せず）の回転軸に連結されている。
【００６４】
回動軸３７が図１の正面視反時計方向に回動することによって、水平羽根３１の上端部（前端部）が吹出口１５の上端部（前端部）側から遠ざかるように動作して、吹出口１５を開ける。逆に、回動軸３７が図１の正面視時計方向に回動することによって、水平羽根３１の上端部（前端部）が吹出口１５の上端部（前端部）側へ近づくように動作して、吹出口１５を閉じる。
【００６５】
水平羽根３１が吹出口１５を開けている状態において、吹出口１５から吹き出された吹出空気は、水平羽根３１の内側面３１ｂに概ね沿って流れる。このため、水平羽根３１の内側面３１ｂがスクロール面１７の終端Ｆの接線Ｌ０よりも上側にある場合には、スクロール面１７の終端Ｆの接線方向に概ね沿って吹き出された吹出空気は、その風向きが水平羽根３１によって上向きに変更される。
【００６６】
（２−６）コアンダ羽根
コアンダ羽根３２は、空調室内機１０の長手方向に長い板状の部材である。なお、本実施形態では、コアンダ羽根３２の長手方向の寸法は、水平羽根３１の長手方向の寸法以上となるように、設計されている。
【００６７】
また、コアンダ羽根３２の外側面３２ａは、コアンダ羽根３２が収容部６０に収容された状態で、前面パネル１１ｂのなだらかな円弧曲面の延長上にあるような外側に凸のなだらかな円弧曲面に仕上げられている。さらに、コアンダ羽根３２の内側面３２ｂは、収容部６０の表面に沿うような円弧曲面に仕上げられている。なお、本実施形態では、コアンダ羽根３２の外側面３２ａが円弧曲面を成しているが、コアンダ羽根の外側面が平面であってもよい。
【００６８】
また、コアンダ羽根３２は、空調運転が停止している場合や後述する通常吹出モードで運転している場合は、収容部６０に収納されている。
【００６９】
そして、コアンダ羽根３２は、回動することによって収容部６０から離れて、前後方向に傾斜した姿勢を採る。コアンダ羽根３２の回動軸３８は、収容部６０の下端近傍で且つ本体ケーシング１１の内側の位置（吹出流路１８上壁の上方の位置）に設けられており、コアンダ羽根３２の下端部と回動軸３８とは所定の間隔を保って連結されている。それゆえ、回動軸３８が回動してコアンダ羽根３２の上端部が前面パネル１１ｂの収容部６０から離れるほど、コアンダ羽根３２の下端部の高さ位置は低くなるように回転する。また、コアンダ羽根３２が回動して開いたときの傾斜は、前面パネル１１ｂの傾斜よりも緩やかである。
【００７０】
さらに、回動軸３８が図１の正面視反時計方向に回動することによって、コアンダ羽根３２の上端部および下端部ともに円弧を描きながら収容部６０から離れるが、そのとき、コアンダ羽根３２の上端部と収容部６０との最短距離は、コアンダ羽根３２の下端部と収容部６０との最短距離より大きい。そして、回動軸３８が図１の正面視時計方向に回動することによって、コアンダ羽根３２は収容部６０に近づき、最終的に収容部６０収容される。
【００７１】
なお、コアンダ羽根３２の姿勢には、例えば、図４Ａ、図４Ｂに示すように、収容部６０に収納された姿勢の他に、図４Ｃに示すように、回転して前方上向きに傾斜した姿勢、図４Ｄに示すように、さらに回転してほぼ水平な姿勢、そして、図４Ｅに示すように、さらに回転して前方下向きに傾斜した姿勢などが含まれる。
【００７２】
（３）吹出空気の方向制御
空調室内機１０は、垂直羽根２０、水平羽根３１及びコアンダ羽根３２を用いて、吹出空気の方向を制御する。また、空調室内機１０は、水平羽根３１のみを回動させて吹出空気の方向を調整する通常吹出モードと、水平羽根３１及びコアンダ羽根３２を回動させて吹出空気の方向を調整するコアンダ気流利用モードと、水平羽根３１及びコアンダ羽根３２それぞれの先端を前方下向きにして吹出空気を下方に導く下吹きモードと、を有している。
【００７３】
垂直羽根２０、水平羽根３１及びコアンダ羽根３２は、上記各モードにおいて、空気の吹出方向ごとに、その姿勢が変化する。なお、各モードにおける水平羽根３１及びコアンダ羽根３２のそれぞれの姿勢は、制御部４０の有する記憶部（図示せず）に記憶されている。制御部４０が、垂直羽根２０、コアンダ羽根３２及び水平羽根３１のそれぞれの姿勢を調整することで、各モードにおける吹出空気の制御が実現する。また、通常吹出モード及びコアンダ気流利用モードで採用される水平羽根３１及びコアンダ羽根３２のそれぞれの姿勢については、後に詳しく説明する。
【００７４】
また、吹出方向の選択は、ユーザーがリモコン５０等を介して行なうことができるものとする。さらに、モードの変更や吹出方向は自動的に変更されるように制御することも可能である。
【００７５】
（３−１）通常吹出モード
通常吹出モードは、垂直羽根２０の姿勢を正面吹き姿勢又は横吹き姿勢に固定し、かつ、水平羽根３１のみを回動させて、吹出空気をコアンダ羽根３２の外側面３２ａに沿わせたコアンダ気流にしないで吹出空気の方向を調整するモードである。以下に、通常吹出モードの例として「通常前方吹き」、「通常前方下吹き」及び「通常横吹き」について説明する。なお、制御部４０は、「通常前方吹き」及び「通常前方下吹き」では、垂直羽根２０の姿勢を、正面吹き姿勢に調整し、「通常横吹き」では、垂直羽根２０の姿勢を、横吹き姿勢に調整する。
【００７６】
（３−１−１）通常前方吹き
ユーザーが「通常前方吹き」を選択したとき、制御部４０は、垂直羽根２０の姿勢を正面吹き姿勢にし、かつ、水平羽根３１の内側面３１ｂが略水平になる位置まで水平羽根３１を回動させる（図４Ａ参照）。この結果、垂直羽根２０の羽根片２１の面に沿って前方に向かって吹き出された吹出空気は、水平羽根３１の内側面３１ｂに沿った正面水平向きの気流になる。
【００７７】
（３−１−２）通常前方下吹き
ユーザーは吹出方向を「通常前方吹き」よりも下方に向けたいとき、「通常前方下吹き」を選択すればよい。このとき、制御部４０は、垂直羽根２０の姿勢を正面吹き姿勢にし、かつ、水平羽根３１の内側面３１ｂを、水平よりも前下がりになるまで水平羽根３１を回動させる（図４Ｂ参照）。この結果、垂直羽根２０の羽根片２１の面に沿って前方に向かって吹き出された吹出空気は、水平羽根３１の内側面３１ｂに沿った正面下向きの気流になる。
【００７８】
（３−１−３）通常横吹き
ユーザーが「通常横吹き」を選択したとき、制御部４０は、垂直羽根２０の姿勢を横吹き姿勢にし、かつ、水平羽根３１の内側面３１ｂが略水平になる位置まで水平羽根３１を回動させる。この結果、垂直羽根２０の羽根片２１の面に沿って左右側方に向かって吹き出された吹出空気は、水平羽根３１の内側面３１ｂに沿って側方水平向きの気流になる。
【００７９】
（３−２）コアンダ気流利用モード
コアンダ（効果）とは、気体や液体の流れのそばに壁があると、流れの方向と壁の方向とが異なっていても、壁面に沿った方向に流れようとする現象である（朝倉書店「法則の辞典」）。そして、コアンダ気流利用モードは、このコアンダ効果を利用したモードであって、水平羽根３１及びコアンダ羽根３２を回動させてコアンダ効果によって吹出空気をコアンダ羽根３２の外側面３２ａに沿ったコアンダ気流にするモードである。以下に、コアンダ気流利用モードの例として「コアンダ気流天井吹き」、「コアンダ気流前方吹き」、「コアンダ気流天井横吹き」及び「コアンダ気流前方横吹き」とを説明する。なお、制御部４０は、「コアンダ気流天井吹き」及び「コアンダ気流前方吹き」では、垂直羽根２０の姿勢を、正面吹き姿勢に調整し、「コアンダ気流天井横吹き」及び「コアンダ気流前方横吹き」では、垂直羽根２０の姿勢を、横吹き姿勢に調整する。
【００８０】
（３−２−１）コアンダ気流天井吹き
ユーザーによって「コアンダ気流天井吹き」が選択されたとき、制御部４０は、垂直羽根２０の姿勢を正面吹き姿勢にし、かつ、水平羽根３１の内側面３１ｂが略水平になるまで水平羽根３１を回動させる。次に、制御部４０は、コアンダ羽根３２の外側面３２ａが前方上向きとなるまでコアンダ羽根３２を回動させる。これにより、垂直羽根２０の羽根片２１の面に沿って前方に向かって吹き出された吹出空気は、水平羽根３１で水平吹きに調整された後、コアンダ効果によってコアンダ羽根３２の外側面３２ａに付着した流れとなり、外側面３２ａに沿ったコアンダ気流に変わる。この結果、図４Ｃに示すように、水平羽根３１の前方端Ｅ１における接線Ｌ１方向が前方吹きであっても、コアンダ羽根３２の前方端Ｅ２における接線Ｌ２方向が前方上吹きであるので、吹出空気の流れは、コアンダ効果によってコアンダ羽根３２の外側面３２ａの前方端Ｅ２における接線Ｌ２方向、すなわち正面天井向きの気流になる。
【００８１】
（３−２−２）コアンダ気流前方吹き
また、ユーザーによって「コアンダ気流前方吹き」が選択されたとき、制御部４０は、垂直羽根２０の姿勢を正面吹き姿勢にし、かつ、水平羽根３１の内側面３１ｂが水平よりも前下がりになるまで水平羽根３１を回動させる。次に、制御部４０は、コアンダ羽根３２の外側面３２ａが略水平になる位置までコアンダ羽根３２を回動させる。これにより、垂直羽根２０の羽根片２１の面に沿って前方に向かって吹き出された吹出空気は、水平羽根３１で前方下吹きに調整された後、コアンダ効果によってコアンダ羽根３２の外側面３２ａに付着した流れとなり、外側面３２ａに沿ったコアンダ気流に変わる。この結果、図４Ｄに示すように、水平羽根３１の前方端Ｅ１における接線Ｌ１方向が前方下吹きであっても、コアンダ羽根３２の前方端Ｅ２における接線Ｌ２方向が水平であるので、吹出空気の流れは、コアンダ効果によってコアンダ羽根３２の外側面３２ａの前方端Ｅ２における接線Ｌ２方向、すなわち正面水平向きの気流になる。
【００８２】
（３−２−３）コアンダ気流天井横吹き
ユーザーによって「コアンダ気流天井横吹き」が選択されたとき、制御部４０は、垂直羽根２０の姿勢を横吹き姿勢にし、かつ、水平羽根３１の内側面３１ｂが略水平になるまで水平羽根３１を回動させる。次に、制御部４０は、コアンダ羽根３２の外側面３２ａが前方上向きとなるまでコアンダ羽根３２を回動させる。これにより、垂直羽根２０の羽根片２１の面に沿って左右側方に向かって吹き出された吹出空気は、水平羽根３１で水平吹きに調整された後、コアンダ効果によってコアンダ羽根３２の外側面３２ａに付着した流れとなり、外側面３２ａに沿ったコアンダ気流に変わる。この結果、左右方向に向かう吹出空気の流れが、前方上向きのコアンダ羽根３２の外側面３２ａに沿ったコアンダ気流になるため、側方天井向きの気流になる。
【００８３】
（３−２−４）コアンダ気流前方横吹き
また、ユーザーによって「コアンダ気流前方横吹き」が選択されたとき、制御部４０は、垂直羽根２０の姿勢を横吹き姿勢にし、かつ、水平羽根３１の内側面３１ｂが水平よりも前下がりになるまで水平羽根３１を回動させる。次に、制御部４０は、コアンダ羽根３２の外側面３２ａが略水平になる位置までコアンダ羽根３２を回動させる。これにより、垂直羽根２０の羽根片２１の面に沿って左右側方に向かって吹き出された吹出空気は、水平羽根３１で前方下吹きに調整された後、コアンダ効果によってコアンダ羽根３２の外側面３２ａに付着した流れとなり、外側面３２ａに沿ったコアンダ気流に変わる。この結果、左右方向に向かう吹出空気の流れが、略水平のコアンダ羽根３２の外側面３２ａに沿ったコアンダ気流になるため、側方水平向きの気流になる。
【００８４】
（３−３）下吹きモード
ユーザーによって「下吹き」が選択されたとき、制御部４０は、垂直羽根２０の姿勢を、正面吹き姿勢又は横吹き姿勢に固定し、水平羽根３１の内側面３１ｂが下向きなるまで水平羽根３１を回動させる（図４Ｅ参照）。次に、制御部４０は、コアンダ羽根３２の外側面３２ａが下向きとなるまでコアンダ羽根３２を回動させる（図４Ｅ参照）。その結果、吹出空気は、水平羽根３１とコアンダ羽根３２との間を通過し、下向きに吹き出される。
【００８５】
特に、水平羽根３１が、スクロール面１７の終端Ｆの接線Ｌ０よりも下向きの角度になったときでも、制御部４０が下吹きモードを実行することによって、コアンダ羽根３２の外側面３２ａに当てて下向きの気流を生成することができる。
【００８６】
（４）コアンダ羽根及び水平羽根のそれぞれの姿勢について
以下に、通常吹出モード及びコアンダ気流利用モードで採用したコアンダ羽根３２及び水平羽根３１のそれぞれの姿勢について説明する。
【００８７】
ここで、本実施形態に係る空調室内機１０のように、コアンダ羽根３２と水平羽根３１とが共同して、吹出空気をコアンダ羽根３２の外側面３２ａに沿ったコアンダ気流にする場合、コアンダ羽根３２の外側面３２ａにコアンダ効果を生じさせるには、水平羽根３１の内側面３１ｂによって変更された吹出空気の方向の傾斜が、コアンダ羽根３２の姿勢（傾斜）に近くなる必要がある。そして、両者が離れすぎていると、コアンダ羽根３２においてコアンダ効果が生じない。
【００８８】
このため、吹出空気をコアンダ羽根３２の外側面３２ａに沿ったコアンダ気流にするためには、コアンダ羽根３２と水平羽根３１とによって形成される開き角度を所定の角度以下の角度に、すなわち、コアンダ羽根３２と水平羽根３１との相対角度を前記所定の角度以下の角度にする必要がある。そして、コアンダ羽根３２及び水平羽根３１の相対角度を前記所定の角度以下の角度にすることで、吹出空気をコアンダ羽根３２の外側面３２ａに沿ったコアンダ気流にすることができる。この結果、吹出空気の風向きが、水平羽根３１によって変更された後、さらにコアンダ効果により変更される。
【００８９】
このことから、本発明者は、コアンダ気流の生じるコアンダ羽根３２及び水平羽根３１の相対角度を有するコアンダ羽根３２及び水平羽根３１の羽根角度組合せと、コアンダ気流の生じないコアンダ羽根３２及び水平羽根３１の相対角度を有するコアンダ羽根３２及び水平羽根３１の羽根角度組合せとを規定して、各羽根角度組合せとなる所定の姿勢をコアンダ羽根３２及び水平羽根３１に採らせることで、コアンダ気流を利用する場合でも、コアンダ気流を利用しない場合でも、安定した気流を生じさせることができると考えた。
【００９０】
そこで、本発明者は、コアンダ羽根３２及び水平羽根３１の様々な羽根角度組合せを用いて、コアンダ羽根３２及び水平羽根３１の羽根角度組合せとコアンダ気流との関係について検討した。以下に、コアンダ羽根３２及び水平羽根３１の羽根角度組合せとコアンダ気流との関係についての評価試験の結果を、図を用いて説明する。
【００９１】
図５は、コアンダ羽根３２及び水平羽根３１の羽根角度組合せと、吹出空気との関係を説明するための図である。なお、図５において、θ１は、垂直羽根２０を正面吹き姿勢に固定した状態で、後述する第３気流状態から第１気流状態に変化したときのコアンダ羽根３２及び水平羽根３１の羽根角度組合せを示しており、θ２は、垂直羽根２０を正面吹き姿勢に固定した状態で、後述する第１気流状態から第３気流状態に変化したときのコアンダ羽根３２及び水平羽根３１の羽根角度組合せを示しており、θ３は、垂直羽根２０を正面吹き姿勢に固定した状態で、後述する第２気流状態から第３気流状態に変化したときのコアンダ羽根３２及び水平羽根３１の羽根角度組合せを示しており、θ４は、垂直羽根２０を正面吹き姿勢に固定した状態で、後述する第３気流状態から第２気流状態に変化したときのコアンダ羽根３２及び水平羽根３１の羽根角度組合せを示しており、θ５は、垂直羽根２０を横吹き姿勢に固定した状態で、後述する第３気流状態から第１気流状態に変化したときのコアンダ羽根３２及び水平羽根３１の羽根角度組合せを示しており、θ６は、垂直羽根２０を横吹き姿勢に固定した状態で、後述する第１気流状態から第３気流状態に変化したときのコアンダ羽根３２及び水平羽根３１の羽根角度組合せを示している。また、図５に示す水平羽根３１の羽根角度θｈとは、図６に示すように、水平羽根３１の外側面３１ａの前後端を結ぶ直線Ｌｈと、水平線との角度のことである。そして、図５に示すコアンダ羽根３２の羽根角度θｃとは、コアンダ羽根３２の外側面３２ａの前後端を結ぶ直線Ｌｃと、水平線との角度のことである。ここで、羽根角度θｈ及び羽根角度θｃは絶対値ではなく、水平線よりも下方となる場合は負の値である。そして、水平羽根３１及びコアンダ羽根３２の開き角度（相対角度）θは、式：θ＝θｃ−θｈで表すことができる。
【００９２】
図７から図１１は、コアンダ羽根３２及び水平羽根３１の羽根角度組合せが、図５に示す各領域にあるときの吹出空気の流れを示す概念図である。
【００９３】
なお、図５は、室内ファン１４の風量を変化させずに所定の風量に固定して、コアンダ羽根３２に対する水平羽根３１の羽根角度（姿勢）を変更することで、評価試験を行った結果である。
【００９４】
まず、垂直羽根２０の姿勢を、正面吹き姿勢に固定した状態で、コアンダ羽根３２及び水平羽根３１の羽根角度組合せを変更した場合について説明する。
【００９５】
コアンダ羽根３２及び水平羽根３１の羽根角度組合せを変更して、コアンダ羽根３２及び水平羽根３１の相対角度を変えると、図７に示すように、コアンダ羽根３２の外側面３２ａの略全域でコアンダ気流が生じる状態（以下、第１気流状態という）と、図８に示すように、コアンダ羽根３２の外側面３２ａに沿ったコアンダ気流が生じない状態（以下、第２気流状態という）と、図９に示すように、コアンダ羽根３２の外側面３２ａの一部でコアンダ気流が生じる状態（以下、第３気流状態という）と、の３つの気流状態に変化した。
【００９６】
なお、「コアンダ羽根３２の外側面３２ａの略全域でコアンダ気流が生じる」状態には、吹出空気がコアンダ羽根３２の外側面３２ａ全域に付着した流れになっている状態の他に、例えば、本実施形態のように、コアンダ羽根３２の長手方向の寸法が吹出口１５の長手方向の寸法よりも長い場合には、吹出空気がコアンダ羽根３２の外側面３２ａにおいて吹出口１５と対向する部分全域に付着した流れになっている状態も含まれる。
【００９７】
例えば、垂直羽根２０を正面吹き姿勢で固定し、かつ、コアンダ羽根３２の羽根角度θｃを２５度に固定した場合、水平羽根３１の羽根角度θｈを−１５度以下に（０度から遠ざかるように）すれば、第２気流状態になる。また、例えば、垂直羽根２０を正面吹き姿勢で固定し、かつ、コアンダ羽根３２の羽根角度θｃを２５度に固定した場合、水平羽根３１の羽根角度θｈを−９度以上に（０度に近くなるように）すれば、第１気流状態になる。さらに、コアンダ羽根３２の羽根角度θｃを２５度に固定した場合、水平羽根３１の羽根角度θｈを−１１度や−１２度にすれば、第３気流状態になる。
【００９８】
これらの結果から、垂直羽根２０の姿勢が正面吹き姿勢である場合、コアンダ羽根３２及び水平羽根３１の羽根角度組合せとして、第１気流状態となる羽根角度組合せ領域（図５に示す羽根角度組合せθ１よりもコアンダ羽根３２及び水平羽根３１の相対角度が小さい羽根角度組合せ領域、以下、第１領域という）と、第２気流状態となる羽根角度組合せ領域（図５に示す羽根角度組合せθ４よりもコアンダ羽根３２及び水平羽根３１の相対角度が大きい羽根角度組合せ領域、以下、第２領域という）と、の間に、第３気流状態となる羽根角度組合せ領域（図５に示す羽根角度組合せθ１と羽根角度組合せθ４との間に挟まれる羽根角度組合せ領域、以下、第３領域という）が存在することが判明した。
【００９９】
そして、コアンダ羽根３２及び水平羽根３１の羽根角度組合せが、第１領域の所定の羽根角度組合せにあるときのコアンダ羽根３２及び水平羽根３１の相対角度は、第３領域の所定の羽根角度組合せにあるときのコアンダ羽根３２及び水平羽根３１の相対角度よりも小さく、第２領域の所定の羽根角度組合せにあるときのコアンダ羽根３２及び水平羽根３１の相対角度は、第３領域の所定の羽根角度組合せにあるときのコアンダ羽根３２及び水平羽根３１の相対角度よりも大きいことから、垂直羽根２０が正面吹き姿勢を採るときのコアンダ羽根３２及び水平羽根３１の相対角度の角度範囲として、第１気流状態となる第１角度範囲と、第２気流状態となる第２角度範囲との間に、第３気流状態となる第３角度範囲が存在していることを見出した。
【０１００】
なお、第３領域の所定の羽根角度組合せとなる所定の姿勢をコアンダ羽根３２及び水平羽根３１が採っている場合には、コアンダ羽根３２の外側面３２ａに沿ったコアンダ気流のうち、コアンダ羽根３２の外側面３２ａの両端部の気流が中央寄りに偏向した流れになっている（図９（ｃ）参照）。すなわち、垂直羽根２０が正面吹き姿勢を採るときの第３気流状態とは、コアンダ羽根３２の外側面３２ａの中央部（一部）ではコアンダ気流が発生しているが、コアンダ羽根３２の外側面３２ａの両端部（他部）ではコアンダ気流が発生していない状態のことである。これは、コアンダ羽根３２の側方の空気が、コアンダ気流の動圧によって、コアンダ羽根３２の両端部からコアンダ気流に引き込まれることで、コアンダ羽根３２の両端部に沿う気流が、側方からの空気に押されて中央部寄りの不安定な気流になっていると考えられる。
【０１０１】
さらに、例えば、垂直羽根２０を正面吹き姿勢で固定し、かつ、コアンダ羽根３２の羽根角度θｃを２５度に固定した状態で、水平羽根３１の羽根角度θｈを−１２度から徐々に大きく（０度に近くなるように）していくと、水平羽根３１の羽根角度θｈが−９度になったときに、第３気流状態から第１気流状態に切り換わる。一方で、垂直羽根２０を正面吹き姿勢で固定し、かつ、コアンダ羽根３２の羽根角度θｃを２５度に固定した状態で、水平羽根３１の羽根角度θｈを−８度から徐々に小さく（０度から遠ざかるように）していくと、水平羽根３１の羽根角度θｈが−１０度になったときに、第１気流状態から第３気流状態に切り換わる。
【０１０２】
また、例えば、垂直羽根２０を正面吹き姿勢で固定し、かつ、コアンダ羽根３２の羽根角度θｃを２５度に固定した状態で、水平羽根３１の羽根角度θｈを−２０度から徐々に大きく（０度に近くなるように）していくと、水平羽根３１の羽根角度θｈが−１３度になったときに、第２気流状態から第３気流状態に切り換わる。一方で、垂直羽根２０を正面吹き姿勢で固定し、かつ、コアンダ羽根３２の羽根角度θｃを２５度に固定した状態で、水平羽根３１の羽根角度θｈを−１２度から徐々に小さく（０度から遠ざかるように）していくと、水平羽根３１の羽根角度θｈが−１５度になったときに、第３気流状態から第２気流状態に切り換わる。
【０１０３】
これらの結果から、垂直羽根２０が正面吹き姿勢の場合に、第３気流状態から第１気流状態に変化するときの羽根角度組合せθ１の相対角度と、第１気流状態から第３気流状態に変化するときの羽根角度組合せθ２の相対角度と、が異なっていることが判明した。さらに、垂直羽根２０が正面吹き姿勢である場合に、第３気流状態から第２気流状態に変化するときの羽根角度組合せθ４の相対角度と、第２気流状態から第３気流状態に変化するときの羽根角度組合せθ３の相対角度と、が異なっていることが判明した。言い換えると、コアンダ羽根３２及び水平羽根３１の相対角度を、第１角度範囲の所定角度から徐々に大きくした場合に第１気流状態から第３気流状態に変化するときの角度と、第３角度範囲の所定角度から徐々に小さくした場合に第３気流状態から第１気流状態に変化するときの角度とが、異なっており、コアンダ羽根３２及び水平羽根３１の相対角度を、第２角度範囲の所定角度から徐々に小さくした場合に第２気流状態から第３気流状態に変化するときの角度と、第３角度範囲の所定角度から徐々に大きくした場合に第３気流状態から第２気流状態に変化するときの角度とが、異なっていることが判明した。
【０１０４】
このことから、本発明者は、垂直羽根２０を正面吹き姿勢で固定した状態において、コアンダ羽根３２及び水平羽根３１の羽根角度組合せには、第３気流状態から第１気流状態に変化するときの羽根角度組合せθ１と、第１気流状態から第３気流状態に変化するときの羽根角度組合せθ２との間の羽根角度組合せ領域（以下、第４領域という）と、第３気流状態から第２気流状態に変化するときの羽根角度組合せθ４と、第２気流状態から第３気流状態に変化するときの羽根角度組合せθ３との間の羽根角度組合せ領域（以下、第５領域という）とが、ヒステリシス領域であることを発見した。すなわち、第３領域には、第４領域と、第５領域と、羽根角度組合せθ２と羽根角度組合せθ３との間の羽根角度組合せ領域（図５では、第６領域として示す）と、が含まれることを見出した。
【０１０５】
ところで、垂直羽根２０の姿勢が、正面吹き姿勢から横吹き姿勢に変更されることで、吹出口１５の中央部分から吹き出される吹出空気の風速が吹出口１５の両端部から吹き出される吹出空気の風速と比較して遅くなる。これにより、垂直羽根２０の姿勢が正面吹き姿勢のときに、第１気流状態となるコアンダ羽根３２及び水平羽根３１の羽根角度組合せであっても、垂直羽根２０の姿勢を横吹き姿勢にすることで、第３気流状態になる可能性があると考えられた。
【０１０６】
そこで、本発明者は、垂直羽根２０を横吹き姿勢にしたときのコアンダ羽根３２及び水平羽根３１の羽根角度組合せとコアンダ気流との関係について、さらに検討した。
【０１０７】
この結果、垂直羽根２０の姿勢を横吹き姿勢に固定した状態で、コアンダ羽根３２及び水平羽根３１の羽根角度組合せを変更して、コアンダ羽根３２及び水平羽根３１の相対角度を変えると、外側面３２ａに沿ったコアンダ気流が生じる気流状態として、図１０に示すように、コアンダ羽根３２の外側面３２ａの略全域でコアンダ気流が生じる第１気流状態と、図１１に示すように、コアンダ羽根３２の外側面３２ａの一部でコアンダ気流が生じる第３気流状態と、が存在することが判明した。
【０１０８】
なお、垂直羽根２０を横吹き姿勢にしたときの第３気流状態では、図１１（ｃ）に示すように、コアンダ羽根３２の外側面３２ａの両端部ではコアンダ気流が発生するけれども、コアンダ羽根３２の外側面３２ａの中央部分では吹出空気が外側面３２ａに付着できずにコアンダ気流が発生しない不安定な気流になる。すなわち、垂直羽根２０が横吹き姿勢を採るときの第３気流状態とは、コアンダ羽根３２の外側面３２ａの両端部（一部）ではコアンダ気流が発生しているが、コアンダ羽根３２の外側面３２ａの中央部（他部）ではコアンダ気流が発生していない状態のことである。
【０１０９】
そして、例えば、垂直羽根２０を横吹き姿勢で固定し、かつ、コアンダ羽根３２の羽根角度θｃを２５度に固定した状態で、水平羽根３１の羽根角度θｈを−１２度から徐々に大きく（０度に近くなるように）していくと、水平羽根３１の羽根角度θｈが−５度になったときに、第３気流状態から第１気流状態に切り換わる。一方で、垂直羽根２０を横吹き姿勢で固定し、かつ、コアンダ羽根３２の羽根角度θｃを２５度に固定した状態で、水平羽根３１の羽根角度θｈを−４度から徐々に小さく（０度から遠ざかるように）していくと、水平羽根３１の羽根角度θｈが−１０度になったときに、第１気流状態から第３気流状態に切り換わる。
【０１１０】
これらの結果から、垂直羽根２０の姿勢が横吹き姿勢である場合にも、コアンダ羽根３２及び水平羽根３１の羽根角度組合せとして、第１気流状態となる羽根角度組合せ領域（図５に示す羽根角度組合せθ５よりもコアンダ羽根３２及び水平羽根３１の相対角度が小さい羽根角度組合せ領域、以下、第７領域という）があることが判明した。
【０１１１】
さらに、垂直羽根２０が横吹き姿勢を採る場合に、第３気流状態から第１気流状態に変化するときの羽根角度組合せθ５の相対角度と、第１気流状態から第３気流状態に変化するときの羽根角度組合せθ６の相対角度とが異なっていることから、垂直羽根２０が横吹き姿勢を採る場合にも、ヒステリシス領域が存在することが判明した。なお、垂直羽根２０が横吹き姿勢を採る場合にも、羽根角度組合せθ６の相対角度よりも角度が大きい範囲では、所定の角度になるまで第３気流状態が維持される。
【０１１２】
さらに、これらの結果から、垂直羽根２０が正面吹き姿勢を採る場合と、垂直羽根２０が横吹き姿勢を採る場合とによって、第３気流状態から第１気流状態に変化するときのコアンダ羽根３２及び水平羽根３１の羽根角度組合せが異なっていることが判明した。
【０１１３】
具体的には、垂直羽根２０が正面吹き姿勢を採る場合には、第３気流状態から第１気流状態に変化するときのコアンダ羽根３２及び水平羽根３１の羽根角度組合せは、図５に示す羽根角度組合せθ１であるのに対して、垂直羽根２０が横吹き姿勢を採る場合には、第３気流状態から第１気流状態に変化するときのコアンダ羽根３２及び水平羽根３１の羽根角度組合せは、図５に示す羽根角度組合せθ５である。
【０１１４】
また、垂直羽根２０が正面吹き姿勢を採るときに気流状態が第１気流状態となるのは、コアンダ羽根３２及び水平羽根３１の羽根角度組合せが羽根角度組合せθ１の相対角度よりも小さい羽根角度組合せ領域である第１領域の所定の羽根角度組合せにあるときであるのに対して、垂直羽根２０が横吹き姿勢を採るときに気流状態が第１気流状態となるのは、コアンダ羽根３２及び水平羽根３１の羽根角度組合せが羽根角度組合せθ５の相対角度よりも小さい羽根角度組合せ領域である第７領域の所定の羽根角度組合せにあるときである。
【０１１５】
このことから、本発明者は、気流状態が第１気流状態となるコアンダ羽根３２及び水平羽根３１の羽根角度組合せ領域が、垂直羽根２０の姿勢によって異なっており、その一部が重なることを見出した。具体的には、第１領域の方が第７領域よりも大きく、第１領域と第７領域とが羽根角度組合せθ５よりも相対角度の小さい領域で、重なっていることを見出した。
【０１１６】
そして、第７領域の所定の羽根角度組合せにあるときのコアンダ羽根３２及び水平羽根３１の相対角度の角度範囲を第７角度範囲とした場合、第７領域の所定の羽根角度組合せにあるときのコアンダ羽根３２及び水平羽根３１の相対角度は、第１領域において羽根角度組合せθ５の相対角度よりも大きい角度を有する所定の羽根角度組合せにあるときのコアンダ羽根３２及び水平羽根３１の相対角度よりも小さいことから、第１角度範囲の上限角度は、第７角度範囲の上限角度よりも大きく、かつ、第１角度範囲と第７角度範囲とは、第７角度範囲の上限角度より小さい範囲で重なっていることを見出した。
【０１１７】
これらの結果から、第１気流状態を用いるときのコアンダ羽根３２及び水平羽根３１の羽根角度組合せを、第７領域に属する所定の羽根角度組合せに設定することで、すなわち、第１気流状態を用いるときのコアンダ羽根３２及び水平羽根３１の相対角度を、第７角度範囲の所定角度に設定することで、垂直羽根２０の姿勢が正面吹き姿勢及び横吹き姿勢のいずれの姿勢であっても、コアンダ羽根３２の外側面３２ａの略全域で安定したコアンダ気流が発生すると考えた。一方で、第２気流状態を用いるときのコアンダ羽根３２及び水平羽根３１の羽根角度組合せを、第２領域に属する所定の羽根角度組合せに設定することで、すなわち、第２気流状態を用いるときのコアンダ羽根３２及び水平羽根３１の相対角度を、第２角度範囲の所定角度に設定することで、コアンダ羽根３２の外側面３２ａに沿ったコアンダ気流が発生しないようにすることができると考えた。
【０１１８】
そこで、本発明者は、第１気流状態を用いるコアンダ気流利用モードで採用するコアンダ羽根３２及び水平羽根３１のそれぞれの姿勢として、第７領域に属する所定の羽根角度組合せとなる所定の姿勢を採用し、第２気流状態を用いる通常吹出モードで採用するコアンダ羽根３２及び水平羽根３１のそれぞれの姿勢として、第２領域に属する所定の羽根角度組合せとなる所定の姿勢を採用することにした。
【０１１９】
なお、本実施形態では、コアンダ気流天井吹き及びコアンダ気流前方吹きで使用されるコアンダ羽根３２及び水平羽根３１の羽根角度組合せ（第１羽根角度組合せに相当）と、コアンダ気流天井横吹き及びコアンダ気流前方横吹きで使用されるコアンダ羽根３２及び水平羽根３１の羽根角度組合せ（第２羽根角度組合せに相当）とを、同じ羽根角度組合せに設定した。
【０１２０】
（５）特徴
（５−１）
従来の空調室内機では、所定の風向きを形成するときにコアンダ気流が利用される場合、吹出空気の上下方向の流れを変更する水平羽根３１の姿勢については考慮されているものもあるが、吹出空気の左右方向の流れを変更する垂直羽根の姿勢については、なんら考慮されていない。
【０１２１】
そこで、本実施形態では、制御部４０が、複数の羽根角度組合せのうちの所定の羽根角度組合せとなる所定の姿勢をコアンダ羽根３２及び水平羽根３１に採らせることで、吹出空気の風向きを調整している。具体的には、制御部４０がコアンダ気流利用モードを実行することで、コアンダ羽根３２の外側面３２ａの略全域に沿ったコアンダ気流を利用した風向き、すなわち、第１気流状態を用いた風向きを形成する。このとき、コアンダ羽根３２及び水平羽根３１の羽根角度組合せとして、第７領域に属する所定の羽根角度組合せが使用される。また、制御部４０が通常吹出モードを実行することで、コアンダ羽根３２の外側面３２ａの略全域に沿ったコアンダ気流を利用しない風向き、すなわち、第２気流状態を用いた風向きを形成する。このとき、コアンダ羽根３２及び水平羽根３１の羽根角度組合せとして、第２領域に属する所定の羽根角度組合せが使用される。
【０１２２】
さらに、コアンダ気流利用モードには、垂直羽根２０の姿勢が正面吹き姿勢で固定されたコアンダ気流天井吹き及びコアンダ気流前方吹きと、垂直羽根２０の姿勢が横吹き姿勢で固定されたコアンダ気流天井横吹き及びコアンダ気流前方横吹きがある。すなわち、コアンダ気流天井吹き及びコアンダ気流前方吹きでは、コアンダ気流を利用しており、かつ、垂直羽根２０に正面吹き姿勢を採らせた風向き（第１風向きに相当）が形成される。そして、コアンダ気流天井吹き及びコアンダ気流前方吹きでは、吹出口１５から正面側すなわち前方に吹き出された吹出空気の風向きが、コアンダ効果によって変更される。一方で、コアンダ気流天井横吹き及びコアンダ気流前方横吹きでは、コアンダ気流を利用しており、かつ、垂直羽根２０に横吹き姿勢を採らせた風向き（第２風向きに相当）が形成される。そして、コアンダ気流天井横吹き及びコアンダ気流前方横吹きでは、吹出口１５から両側面側すなわち左右側方に吹き出された吹出空気の風向きが、コアンダ効果によって変更される。このように、この空調室内機１０では、コアンダ気流を利用した風向きとして、正面側に向かう風向きだけでなく、左右側方に向かう風向きを形成することができる。
【０１２３】
これによって、従来の空調室内機と比較して、吹出空気の風向きのバリエーションを増やすことができている。
【０１２４】
また、コアンダ気流を左右方向に導くことができるため、コアンダ気流が正面側にだけ導かれるよりも、コアンダ気流を広い範囲に誘導することができる。この結果、従来の空調室内機と比較して、コアンダ気流を利用した風向きのバリエーションを増やすことができている。
【０１２５】
（５−２）
本発明者は、コアンダ羽根３２の外側面３２ａの略全域で安定したコアンダ気流が発生する羽根角度組合せ領域と、コアンダ羽根３２の外側面３２ａでコアンダ気流が発生しない羽根角度組合せ領域と、の間に、コアンダ羽根３２の外側面３２ａの一部でコアンダ気流が発生しているが外側面３２ａの他部ではコアンダ気流が発生しない不安定な気流となる羽根角度組合せ領域が存在することを発見した。
【０１２６】
さらに、本発明者は、コアンダ羽根３２の外側面３２ａの略全域でコアンダ気流が発生するコアンダ羽根３２及び水平羽根３１の羽根角度組合せ領域が、垂直羽根２０の姿勢で異なっており、垂直羽根２０が正面吹き姿勢を採るときにコアンダ羽根３２の外側面３２ａの略全域でコアンダ気流が発生するコアンダ羽根３２及び水平羽根３１の羽根角度組合せ領域である第１領域と、垂直羽根２０が横吹き姿勢を採るときにコアンダ羽根３２の外側面３２ａの略全域でコアンダ気流が発生するコアンダ羽根３２及び水平羽根３１の羽根角度組合せ領域である第７領域とが、羽根角度組合せθ５より相対角度の小さい領域、すなわち、第７領域で重なっていることを発見した。
【０１２７】
そこで、本実施形態では、コアンダ気流利用モードで採用されるコアンダ羽根３２及び水平羽根３１の羽根角度組合せを、第１領域と第７領域とが重なる領域である第７領域の所定の羽根角度組合せに設定している。この結果、垂直羽根２０の姿勢に関係なく、コアンダ羽根３２の外側面３２ａの略全域で安定したコアンダ気流を発生させることができる。これにより、所望の風向きが形成されないおそれを低減することができている。
【０１２８】
また、本実施形態では、垂直羽根２０を正面吹き姿勢にするコアンダ気流天井吹き及びコアンダ気流前方吹きで使用されるコアンダ羽根３２及び水平羽根３１の羽根角度組合せと、垂直羽根２０を横吹き姿勢にするコアンダ気流天井横吹き及びコアンダ気流前方横吹きで使用されるコアンダ羽根３２及び水平羽根３１の羽根角度組合せとが、同じ羽根角度組合せに設定されている。すなわち、コアンダ気流を利用し、かつ、垂直羽根２０に正面吹き姿勢を採らせた風向きを形成するときの羽根角度組合せ（第１羽根角度組合せ）と、コアンダ気流を利用し、かつ、垂直羽根２０に横吹き姿勢を採らせた風向きを形成するときの羽根角度組合せ（第２羽根角度組合せ）とは、同じ羽根角度組合せである。このため、コアンダ気流利用モードにおいて、コアンダ羽根３２の外側面３２ａの略全域で安定したコアンダ気流を得るために、コアンダ羽根３２及び水平羽根３１の羽根角度組合せを、垂直羽根２０の姿勢によって変更する場合と比較して、制御を複雑にすることなく安定したコアンダ気流を得ることができる。
【０１２９】
なお、本実施形態では、垂直羽根２０を正面吹き姿勢にする場合のコアンダ羽根３２及び水平羽根３１の羽根角度組合せと、垂直羽根２０を横吹き姿勢にする場合のコアンダ羽根３２及び水平羽根３１の羽根角度組合せとが、同じ羽根角度組合せに設定されているが、第７領域に属する所定の羽根角度組合せであれば、垂直羽根２０の姿勢に関係なく安定したコアンダ気流を生じさせることができるため、垂直羽根２０を正面吹き姿勢にする場合のコアンダ羽根３２及び水平羽根３１の羽根角度組合せと、垂直羽根２０を横吹き姿勢にする場合のコアンダ羽根３２及び水平羽根３１の羽根角度組合せとを、第７領域に属する異なる羽根角度組合せに設定してもよい。これにより、さらに、風向きのバリエーションを増やすことができる。
【０１３０】
（６）変形例
（６−１）変形例Ａ
上記実施形態では、コアンダ気流利用モードにおけるコアンダ羽根３２及び水平羽根３１の羽根角度組合せを、第７領域に属する所定の羽根角度組合せに設定している。さらに、上記実施形態では、コアンダ気流利用モードにおいて、垂直羽根２０が正面吹き姿勢を採る場合の羽根角度組合せと、横吹き姿勢を採る場合のコアンダ羽根３２及び水平羽根３１の羽根角度組合せとを、同じ羽根角度組合せに設定している。
【０１３１】
これに代えて、コアンダ気流利用モードにおいて、垂直羽根２０に姿勢に応じてコアンダ羽根３２及び水平羽根３１の羽根角度組合せを変更することで、風向きのバリエーションをより増やしてもよい。
【０１３２】
しかしながら、上記評価試験の結果より、垂直羽根２０が横吹き姿勢を採るときは、垂直羽根２０が正面吹き姿勢を採るときよりも、コアンダ羽根３２及び水平羽根３１の相対角度を小さくしなければ、コアンダ羽根３２の外側面３２ａの略全域で安定したコアンダ気流を発生させることができない。
【０１３３】
そこで、コアンダ気流利用モードにおいて、垂直羽根２０の姿勢を正面吹き姿勢にする場合には、コアンダ羽根３２及び水平羽根３１の羽根角度組合せを、第１領域に属する所定の羽根角度組合せ（第１羽根角度組合せに相当）に設定し、垂直羽根２０の姿勢を横吹き姿勢にする場合には、コアンダ羽根３２及び水平羽根３１の羽根角度組合せを、第７領域に属する所定の羽根角度組合せ（第２羽根角度組合せに相当）に設定すれば、垂直羽根２０の姿勢がいずれの姿勢であっても、コアンダ羽根３２の外側面３２ａの略全域に沿った安定したコアンダ気流を発生させることができる。
【０１３４】
具体的には、コアンダ気流利用モードのコアンダ気流天井吹き及びコアンダ気流前方吹きでは、制御部４０が、第１領域に属する所定の羽根角度組合せとなる姿勢を、言い換えると、コアンダ羽根３２及び水平羽根３１の相対角度が第１角度範囲の所定角度となる所定の姿勢をコアンダ羽根３２及び水平羽根３１が採るようにコアンダ羽根３２及び水平羽根３１の動作制御を行い、コアンダ気流天井横吹き及びコアンダ気流前方横吹きでは、制御部４０が、第７領域に属する所定の羽根角度組合せとなる姿勢を、言い換えると、コアンダ羽根３２及び水平羽根３１の相対角度が第７角度範囲の所定角度となる所定の姿勢をコアンダ羽根３２及び水平羽根３１が採るようにコアンダ羽根３２及び水平羽根３１の動作制御を行えばよい。
【０１３５】
これにより、垂直羽根２０がいずれの姿勢を採っても、コアンダ羽根３２の外側面３２ａの略全域で安定したコアンダ気流を発生させることができる。したがって、例えば、ユーザーによって「コアンダ気流天井吹き」から「コアンダ気流天井横吹き」に切り換えられても、安定したコアンダ気流を発生させることができるため、所望の風向きが形成されないおそれを低減することができる。
【０１３６】
また、コアンダ気流利用モードにおいて垂直羽根２０に姿勢に応じてコアンダ羽根３２及び水平羽根３１の羽根角度組合せを変更することで、垂直羽根２０の姿勢に応じてコアンダ羽根３２及び水平羽根３１の羽根角度組合せが変更されない空調室内機と比較して、安定したコアンダ気流を実現しつつ、様々なバリエーションの風向きを形成することができる。
【０１３７】
（６−２）変形例Ｂ
上記実施形態に代えて、或いは、上記実施形態及び上記変形例に加えて、コアンダ気流利用モード及び通常吹出モードにおいて、垂直羽根２０をスイングさせてもよい。これにより、垂直羽根２０が固定されているよりも、風向きのバリエーションを増やすことができる。
【０１３８】
ここで、上記評価試験の結果より、吹出空気をコアンダ羽根３２の外側面３２ａの略全域に沿った安定したコアンダ気流にしようとした場合、垂直羽根２０の姿勢を考慮しつつ、コアンダ羽根３２及び水平羽根３１の羽根角度組合せを選択する必要がある。そして、コアンダ羽根３２の外側面３２ａの略全域に沿った安定したコアンダ気流を発生させるためには、垂直羽根２０が横吹き姿勢を採る場合のほうが、垂直羽根２０が正面吹き姿勢を採る場合よりも、コアンダ羽根３２及び水平羽根３１の羽根角度組合せ領域が小さくなる。
【０１３９】
そうすると、垂直羽根２０をスイングさせたとしても、正面吹き姿勢を採る垂直羽根２０の姿勢に近ければ、コアンダ羽根３２の外側面３２ａの略全域に沿った安定したコアンダ気流が発生するコアンダ羽根３２及び水平羽根３１の羽根角度組合せ領域の縮小を抑えることができると考えられる。すなわち、コアンダ気流利用モードにおいて、垂直羽根２０のスイング可能角度範囲を制限することで、前記羽根角度組合せ領域の縮小を抑えることができ、吹出空気を安定したコアンダ気流にすることができると考えられる。
【０１４０】
一方で、コアンダ気流を利用しない通常吹出モードでは、コアンダ羽根３２及び水平羽根３１の羽根角度組合せを考慮する必要がないため、垂直羽根２０のスイング可能角度範囲を特に制限する必要はない。
【０１４１】
そこで、コアンダ気流利用モードにおいて、垂直羽根２０をスイングさせる場合には、そのスイング可能角度範囲を、通常吹出モードにおいて垂直羽根２０をスイングさせるときのスイング可能角度範囲よりも、小さい角度範囲に設定することで、コアンダ気流利用モードにおいて、コアンダ羽根３２の外側面３２ａに沿った安定したコアンダ気流を得ることができる。
【０１４２】
（６−３）変形例Ｃ
上記実施形態では、コアンダ気流利用モードにおける室内ファン１４の風量は、垂直羽根２０の姿勢によって変更される設定にはなっていない。
【０１４３】
ここで、上記評価試験の結果より、コアンダ羽根３２及び水平羽根３１の羽根角度組合せを変更せずに、垂直羽根２０の姿勢を正面吹き姿勢から横吹き姿勢に変更すると、コアンダ羽根３２の外側面３２ａの略全域でコアンダ気流が発生している状態からコアンダ羽根３２の外側面３２ａの両端部ではコアンダ気流が発生するけれどもコアンダ羽根３２の外側面３２ａの中央部ではコアンダ気流が発生しない不安定な気流になる。また、垂直羽根２０の姿勢が、正面吹き姿勢から横吹き姿勢に変更されることで、吹出口１５の中央部分から吹き出される吹出空気の風速が吹出口１５の両端部から吹き出される吹出空気の風速と比較して遅くなっている。
【０１４４】
このことから、垂直羽根２０の姿勢を変更することでコアンダ気流が不安定な気流になる原因として、吹出口１５から吹き出される風速が関係していると考えられる。
【０１４５】
そこで、上記実施形態に代えて、或いは、上記実施形態及び変形例に加えて、コアンダ気流利用モードにおける室内ファン１４の風量を、垂直羽根２０の姿勢に応じて変更するようにしてもよい。具体的には、コアンダ気流利用モードにおいて、垂直羽根２０が横吹き姿勢を採る場合には、垂直羽根２０が正面吹き姿勢を採る場合よりも、室内ファン１４の風量が増加するように制御すればよい。
【０１４６】
例えば、コアンダ気流利用モードにおいて、垂直羽根２０が横吹き姿勢を採る場合の室内ファン１４の最小風量が、垂直羽根２０が正面吹き姿勢を採る場合の室内ファン１４の最小風量よりも大きくなるように、設定すればよい。
【０１４７】
これにより、垂直羽根２０の姿勢として、正面吹き姿勢及び横吹き姿勢のいずれの姿勢が選択されても、コアンダ羽根３２の外側面３２ａの略全域で安定したコアンダ気流を発生させることができる。したがって、例えば、ユーザーによって「コアンダ気流天井吹き」から「コアンダ気流天井横吹き」に切り換えられても、安定したコアンダ気流を発生させることができるため、所望の風向きが形成されないおそれを低減することができる。
【産業上の利用可能性】
【０１４８】
本発明は、吹出空気の風向きのバリエーションを増やすことができる発明であって、コアンダ気流を利用した風向きを形成する空調室内機への適用が有効である。
【符号の説明】
【０１４９】
１０      空調室内機
１１      本体ケーシング（ケーシング）
１４      室内ファン（ファン）
１５      吹出口
２０      垂直羽根
３１      水平羽根
３２      コアンダ羽根
３２ａ    外側面（コアンダ面）
４０      制御部
【先行技術文献】
【特許文献】
【０１５０】
【特許文献１】特開２００４−１０１１２８号公報
【図１】
0005403046.tif 000002
【図２】
0005403046.tif 000003
【図３】
0005403046.tif 000004
【図４Ａ】
0005403046.tif 000005
【図４Ｂ】
0005403046.tif 000006
【図４Ｃ】
0005403046.tif 000007
【図４Ｄ】
0005403046.tif 000008
【図４Ｅ】
0005403046.tif 000009
【図５】
0005403046.tif 000010
【図６】
0005403046.tif 000011
【図７】
0005403046.tif 000012
【図８】
0005403046.tif 000013
【図９】
0005403046.tif 000014
【図１０】
0005403046.tif 000015
【図１１】
0005403046.tif 000016